(57)【要約】      （修正有）【課題】高速アクセス化を実現する。光デイスク装置を提供する。【解決手段】所定の記録密度の第１記録領域に付与される第１アドレスをＷＢＬ情報に対応づけて有している光ディスクに対して、第１記録領域を区分した第２記録領域に付与される第２アドレスを用いてデータ記録を行う場合に、第２記録領域を識別するための識別情報を第２記録領域に記録するとともに、所定の記録密度よりも記録密度を高めてデータの記録可能な光ディスク装置において、光ディスクから読み出したＷＢＬ情報を受信し、受信したＷＢＬ情報に基づいて第１アドレスを生成する第１手段と、光ディスクからの識別情報を受信し、その識別情報に基づいて第２アドレスを生成する第２手段と、第１手段におけるＷＢＬ情報の受信と第２手段における識別情報の受信のうち、先に受信した信号に基づいて生成される第１又は第２アドレスを用いて、光ディスクへのデータの記録又は再生を制御する。【選択図】      図１
2004259372.tif 000002
【特許請求の範囲】
【請求項１】
所定の記録密度の第１の記録領域ごとに付与される第１のアドレス情報をトラックのウォブリング情報に対応づけて有している光ディスクに対して、前記第１の記録領域を論理的に区分した第２の記録領域ごとに付与される第２のアドレス情報を用いてデータの記録を行う場合に、前記第２の記録領域を識別するための前記第２のアドレス情報に対応づけられた識別情報を前記第２の記録領域に記録するとともに、前記所定の記録密度よりも記録密度を高めてデータの記録を行うことが可能な光ディスク装置において、
前記光ディスクから読み出した前記ウォブリング情報を受信し、前記受信したウォブリング情報に基づいて前記第１のアドレス情報を生成する第１のアドレス生成手段と、
前記光ディスクから読み出した前記識別情報を受信し、前記受信した識別情報に基づいて前記第２のアドレス情報を生成する第２のアドレス生成手段と、
前記第１のアドレス生成手段における前記ウォブリング情報の受信と前記第２のアドレス生成手段における前記識別情報の受信のうち、先に受信した一方の前記ウォブリング情報又は前記識別情報に基づいて生成される前記第１のアドレス情報又は前記第２のアドレス情報を用いて、前記光ディスクへのデータの記録又は再生を制御する制御手段と、
を有することを特徴とする光ディスク装置。
【請求項２】
前記光ディスク装置は、
前記第１のアドレス生成手段において前記ウォブリング情報が受信されたことを通知するための第１の割り込み信号を生成する第１の割り込み手段と、
前記第２のアドレス生成手段において前記識別情報が受信されたことを通知するための第２の割り込み信号を生成する第２の割り込み手段と、を有し、
前記制御手段は、
前記第１の割り込み信号及び前記第２の割り込み信号をそれぞれ受信可能とし、
先に受信した一方の前記第１の割り込み信号又は前記第２の割り込み信号の生成要因となる前記ウォブリング情報又は前記識別情報に基づいて生成される、前記第１のアドレス情報又は前記第２のアドレス情報を用いて、前記光ディスクへのデータの記録又は再生を制御することを特徴とする請求項１に記載の光ディスク装置。
【請求項３】
前記制御手段は、
前記第１の割り込み信号及び前記第２の割り込み信号に基づく割り込み要因を設定した記憶手段を有することを特徴とする請求項２に記載の光ディスク装置。
【請求項４】
前記制御手段は、
前記記憶手段に設定された割り込み要因を所定のタイミングでアクセスすることで、前記第１のアドレス生成手段が前記ウォブリング情報を受信したか否か、及び、前記第２のアドレス生成手段が前記識別情報を受信したか否かを特定することを特徴とする請求項３に記載の光ディスク装置。
【請求項５】
前記第１のアドレス生成手段は、前記第１の割り込み手段を有し、
前記第２のアドレス生成手段は、前記第２の割り込み手段を有することを特徴とする請求項２乃至４のいずれかに記載の光ディスク装置。
【請求項６】
前記制御手段は、
後に受信した他方の前記第１の割り込み信号又は前記第２の割り込み信号を生成する前記第１のアドレス生成手段又は前記第２のアドレス生成手段の動作について、所定期間停止する制御を行うことを特徴とする請求項２乃至５のいずれかに記載の光ディスク装置。
【発明の詳細な説明】
【０００１】
【発明の属する技術分野】
本発明は、光ディスクへの記録又は再生を行う光ディスク装置に関する。
【０００２】
【従来の技術】
レーザービームを利用して情報の記録・再生可能な光ディスクの規格の一つとして、データ追記型（Ｗｒｉｔｅ  Ｏｎｃｅ）のＣＤ−Ｒや、書き換え可能型（ＲｅＷｒｉｔａｂｌｅ）のＣＤ−ＲＷなどのＣＤ（Ｃｏｍｐａｃｔ  Ｄｉｓｋ）規格がある。近年、ＣＤ−Ｒ及びＣＤ−ＲＷディスクについては、低価格化と併せて普及率が拡大しており、広く一般化されている。
【０００３】
記録・再生が可能なＣＤ規格の物理フォーマットに準拠した光ディスク（ＣＤ規格媒体）では、トラックを形成するプリグルーブ（案内溝）が、絶対時間情報などによりＦＭ変調された波形に則してウォブリング（蛇行）している。このプリグルーブからウォブリングの周波数を復調することによって、絶対時間情報であるＡＴＩＰ（Ａｂｓｏｌｕｔｅ  ｔｉｍｅ  Ｉｎ  Ｐｒｅｇｒｏｏｖｅ）アドレスを取得できる。また、このＡＴＩＰアドレスは、当該ＣＤ規格の論理フォーマットを用いてデータの記録・再生を行う光ディスク装置において、当該ＣＤ規格媒体上でのデータの記録・再生位置を管理するための情報として利用される。
【０００４】
ところで、ＣＤ−Ｒ及びＣＤ−ＲＷディスクの記録容量は、標準で６５０Ｍバイトや７００Ｍバイト程度である。近年、ビデオ録画の用途などで、光ディスク媒体に対してさらなる大容量記録を求めるニーズが高いため、ＣＤ−Ｒ及びＣＤ−ＲＷディスクの標準の記録容量ではこうしたニーズに対応できない。
【０００５】
このため、ＣＤ−Ｒ及びＣＤ−ＲＷ等といった既存のＣＤ規格媒体から取得したＡＴＩＰアドレスを高密度記録用アドレスにデコード（変換）し、この高密度記録用アドレスを利用することでＣＤ規格媒体への高密度記録を実現する仕組みが提案されている（例えば、以下に示す特許文献１参照）。なお、高密度記録用アドレスとは、隣り合う二つのＡＴＩＰアドレス区間に対応する記録領域を所定数（記録密度の倍率）にて論理的に区分した場合に、その区分領域（セクタ）ごとに付与されるアドレスのことを示す。
【０００６】
前述の仕組みを備える光ディスク装置が、高密度記録用アドレスを用いてＣＤ規格媒体への高密度記録を行う場合、前述の区分領域に対して、高密度記録用アドレスに対応づけられたＩＤ（Ｉｄｅｎｔｉｆｉｃａｔｉｏｎ  Ｄａｔａ）情報を実データと併せて記録する。この目的は、当該光ディスク装置が、前述のＩＤ情報をＣＤ規格媒体から光学的に読み出して前述の区分領域を識別するためである。また、当該光ディスク装置は、ＣＤ規格媒体から読み出したＩＤ情報をデコードすることによって、高密度記録用アドレスを取得することができる。
【０００７】
【特許文献１】
特開２００２−５６６１７号公報
【０００８】
【発明が解決しようとする課題】
ところで、光ディスク装置は、パソコンなどの情報処理装置より記録・再生要求を受信してから、光ディスクへのデータの記録・再生を実際に開始するまでの時間（アクセスタイム）が、ハードディスクなどその他周辺記憶装置よりも長いと言われている。そのため、前述の仕組みを備える光ディスク装置においても、アクセスタイムの短縮化、すなわち高速アクセス化を実現することは重要な課題となっている。
また、前述の仕組みを備える光ディスク装置では、ＣＤ規格媒体から読み出されたＡＴＩＰアドレスを、高密度記録用アドレスをデコードする目的で主に利用しているが、この目的以外にも、高速アクセス化を実現しつつ、ＡＴＩＰアドレスの有効利用を図ることが要請されている。
そこで、本発明は、前述した課題を解決するためになされたものであり、高速アクセス化を実現する光ディスク装置を提供することを目的とする。
【０００９】
【課題を解決するための手段】
前記課題を解決するための主たる本発明は、所定の記録密度の第１の記録領域ごとに付与される第１のアドレス情報をトラックのウォブリング情報に対応づけて有している光ディスクに対して、前記第１の記録領域を論理的に区分した第２の記録領域ごとに付与される第２のアドレス情報を用いてデータの記録を行う場合に、前記第２の記録領域を識別するための前記第２のアドレス情報に対応づけられた識別情報を前記第２の記録領域に記録するとともに、前記所定の記録密度よりも記録密度を高めてデータの記録を行うことが可能な光ディスク装置において、前記光ディスクから読み出した前記ウォブリング情報を受信し、前記受信したウォブリング情報に基づいて前記第１のアドレス情報を生成する第１のアドレス生成手段と、前記光ディスクから読み出した前記識別情報を受信し、前記受信した識別情報に基づいて前記第２のアドレス情報を生成する第２のアドレス生成手段と、前記第１のアドレス生成手段における前記ウォブリング情報の受信と前記第２のアドレス生成手段における前記識別情報の受信のうち、先に受信した一方の前記ウォブリング情報又は前記識別情報に基づいて生成される前記第１のアドレス情報又は前記第２のアドレス情報を用いて、前記光ディスクへのデータの記録又は再生を制御する制御手段と、を有することとする。
【００１０】
なお、前述の『第１のアドレス情報』とは、例えば、後述の「ＡＴＩＰアドレス」のことであり、前述の『第２のアドレス情報』とは、例えば、後述の「ＰＳＮアドレス」である。また、前述の『識別情報』とは、例えば、後述の「ＩＤ情報」のことである。
また、前述した『第１の記録領域を論理的に区分した第２の記録領域』とは、本発明に係る光ディスク装置が、高密度記録モードにて採用する論理フォーマットに従って、後述の１ＡＴＩＰ区間に相当する第１の記録領域を所定数（記録密度の倍率）に区分した第２の記録領域のことを示す。
また、前述の『第１のアドレス生成手段』とは、例えば、後述の「ＡＴＩＰデコーダ」のことであり、前述の『第２のアドレス生成手段』とは、例えば、後述の「ＰＳＮデコーダ」のことである。また、前述の『制御手段』とは、例えば、後述の「システム制御マイコン」のことである。
【００１１】
ところで、光ディスク装置が、第１のアドレス情報又は第２のアドレス情報の一方を優先して使用する前述した仕組みを備えておらず、また、第１のアドレス情報又は第２のアドレス情報の一方によるアクセスに設定された状況を想定すると、先に生成された一方の第１のアドレス情報又は第２のアドレス情報の有効利用が図れないことになる。
また、この場合、先に生成された第１のアドレス情報又は第２のアドレス情報の有無に関わらず、予め設定された第１のアドレス情報又は第２のアドレス情報の生成を待つことになるので、その待ち時間の分、アクセスタイムが長くなることになる。
このことにより、本発明に係る光ディスク装置は、第１のアドレス情報及び第２のアドレス情報それぞれの有効利用を図りつつも、高速アクセス化を可能とする。
【００１２】
本発明に係る第２の態様として、前記光ディスク装置は、前記第１のアドレス生成手段において前記ウォブリング情報が受信されたことを通知するための第１の割り込み信号を生成する第１の割り込み手段と、前記第２のアドレス生成手段において前記識別情報が受信されたことを通知するための第２の割り込み信号を生成する第２の割り込み手段と、を有し、前記制御手段は、前記第１の割り込み信号及び前記第２の割り込み信号をそれぞれ受信可能とし、先に受信した一方の前記第１の割り込み信号又は前記第２の割り込み信号の生成要因となる前記ウォブリング情報又は前記識別情報に基づいて生成される、前記第１のアドレス情報又は前記第２のアドレス情報を用いて、前記光ディスクへのデータの記録又は再生を制御することとする。
【００１３】
本発明に係る第３の態様として、前記制御手段は、前記第１の割り込み信号及び前記第２の割り込み信号に基づく割り込み要因を設定した記憶手段を有することとする。
【００１４】
本発明に係る第４の態様として、前記制御手段は、前記記憶手段に設定された割り込み要因を所定のタイミングでアクセスすることで、前記第１のアドレス生成手段が前記ウォブリング情報を受信したか否か、及び、前記第２のアドレス生成手段が前記識別情報を受信したか否かを特定することとする。
【００１５】
前述の『記憶手段』とは、例えば、後述の「割り込み要求レジスタＩＲＲ」である。また、前述の『所定のタイミング』とは、例えば、常時又は適宜なタイミングとする。
このように、本発明に係る光ディスク装置は、第１のアドレス生成手段におけるウォブリング情報の受信又は第２のアドレス生成手段における識別情報の受信といったイベントのうち、いずれが先に発生したか否かの判定を、前述した第１の割り込み信号及び第２の割り込み信号に基づく割り込み方式によって実現することができる。この割り込み方式は、例えば、ポーリング方式と比較すると、制御手段が、前述したイベントが発生したか否かを常時監視する必要がなくなり、制御手段を含めた光ディスク装置の処理負荷を低減することができる。
また、第１の割り込み信号及び第２の割り込み信号は、前述したイベントの発生とほぼ同タイミングにて制御手段に送達される。このため、本発明に係る光ディスク装置は、前述したイベントの発生を遅滞なく識別することができる。
【００１６】
本発明に係る第５の態様として、前記第１のアドレス生成手段は、前記第１の割り込み手段を有し、前記第２のアドレス生成手段は、前記第２の割り込み手段を有することとする。
このことにより、本発明に係る光ディスク装置の既存の構成にあまり影響を与えることなく、前述した割り込み方式を簡便に実現することができる。
【００１７】
本発明に係る第６の態様として、前記制御手段は、後に受信した他方の前記第１の割り込み信号及び前記第２の割り込み信号を生成する前記第１のアドレス生成手段又は前記第２のアドレス生成手段の動作について、所定期間停止する制御を行うこととする。
このことにより、本発明に係る光ディスク装置は、第１のアドレス生成手段又は第２のアドレス生成手段の一方の処理負荷を低減することが可能となる。
【００１８】
本発明の他の特徴については、添付図面及び本明細書の記載により明らかにする。
【００１９】
【発明の実施の形態】
＝＝＝実施例＝＝＝
以下、本発明の実施の形態を図面に基づいて具体的に説明する。
【００２０】
＜システム構成＞
まず、本発明の一実施形態である光ディスク装置１００を含めたシステムの概略構成を、図１を用いて説明する。ここで、図１に示す光ディスク装置１００は、ＣＤ−Ｒ及びＣＤ−ＲＷなどの既存のＣＤ規格の物理フォーマットに準拠した光ディスク（ＣＤ規格媒体）２００に対して、高密度記録用アドレスを利用した記録・再生が可能である。なお、物理フォーマットとは、光ディスク２００の寸法や記録・再生方法、セクタ構成などを規定したものである。
なお、ユーザーの利便性を鑑みて、ＣＤ規格媒体に対して、当該ＣＤ規格の論理フォーマットに準拠した標準記録モードによる記録・再生をサポートするのが好適である。さらに、当該光ディスク装置１００は、ＤＶＤ−ＲＯＭ、ＤＶＤ−Ｒ及びＤＶＤ−ＲＷ／＋ＲＷなどのＤＶＤ（Ｄｉｇｉｔａｌ  Ｖｅｒｓａｔｉｌｅ  Ｄｉｓｋ）規格の物理フォーマットに準拠した光ディスク２００（ＤＶＤ規格媒体）に関して、当該ＤＶＤ規格の論理フォーマットに準拠した標準記録モードによる記録・再生をサポートしてもよい。なお、論理フォーマットとは、ファイルやディレクトリ、ボリュームといったデータ構造の仕組みを規定したものである。
【００２１】
以下では、説明の都合上、光ディスク２００は、ＣＤ規格媒体とする。このＣＤ規格媒体では、トラックを形成するプリグルーブ（案内溝）が、絶対時間情報などによりＦＭ変調された波形に則してウォブリング（蛇行）している。このプリグルーブからウォブリングの周波数を復調することによって、絶対時間情報であるＡＴＩＰ（Ａｂｓｏｌｕｔｅ  Ｔｉｍｅ  Ｉｎ  Ｐｒｅｇｒｏｏｖｅ）アドレスを取得できる。
また、光ディスク装置１００は、光ディスク（ＣＤ規格媒体）２００への記録・再生処理に採用する論理フォーマットとして、高密度記録用アドレス等による高密度記録モードのみをサポートするものとする。
【００２２】
同図に示すとおり、光ディスク装置１００は、光学ヘッド１、フロントエンド処理部２、光学ヘッドサーボ回路３、ＷＢＬ検出部４、ＡＴＩＰデコーダ（『第１のアドレス生成手段』、『第１の割り込み手段』）５、ＰＳＮデコーダ（『第２のアドレス生成手段』、『第２の割り込み手段』）６、ＰＬＬ７、高密度記録モード用デコーダ８、高密度記録モード用エンコーダ９、インタフェース部１０、ＲＡＭ１１、システム制御マイコン（『制御手段』）１２、レーザー出力制御回路１３、レーザー駆動回路１４、スピンドルモーター１５、モーター駆動回路１６、モーター制御回路１７、を有する。
【００２３】
光学ヘッド１は、対物レンズ（不図示）と、この対物レンズを介して光ディスク２００に対してレーザービームＢを出射するレーザー素子１ａと、光ディスク２００からの反射光を受光する受光素子（不図示）などが組み込まれている。また、光学ヘッド１には、光学ヘッド１を記録・再生対象のトラックに移動させるためのスライド機構、光ディスク２００に出射したレーザービームＢを記録・再生対象のトラックに追従させる制御（トラッキング制御）を行うためのトラッキング機構、光ディスク２００に出射したレーザービームＢの焦点ずれを補正する制御（フォーカス制御）を行うためのフォーカス機構、などが組み込まれている（いずれも不図示）。
【００２４】
フロントエンド処理部２は、マトリクス演算回路や増幅回路や波形整形回路（イコライザ）などで構成されるＲＦアンプ、３ビーム法、プッシュプル法やＤＰＤ（Ｄｉｆｆｅｒｅｎｔｉａｌ  Ｐｈａｓｅ  Ｄｅｔｅｃｔｉｏｎ）法などに基づいたトラッキング誤差信号生成回路、非点収差法やフーコー法などに基づいたフォーカス誤差信号生成回路などを備える（いずれも不図示）。
【００２５】
ＲＦアンプは、光学ヘッド１の受光素子（不図示）にて受光光量に応じて生成された電気信号に基づいて、記録・再生対象のトラック上にあるピットの有無を判別するためのＲＦ信号（ラジオ周波信号）を生成する。なお、このＲＦ信号は２値化されている。また、ＲＦ信号は、ＡＴＩＰアドレスを取得するためのウォブリング周波数成分を含んでいる。さらに、光ディスク２００が予め高密度記録されている場合には、ＲＦ信号は、後述のＩＤ情報を含むことになる。
【００２６】
トラッキング誤差信号生成回路は、前述のＲＦアンプと同様に、光学ヘッド１の当該受光素子（不図示）にて受光光量に応じて生成された電気信号に基づいて、光学ヘッド１のトラッキング制御機構をサーボ制御するためのトラッキング誤差信号を生成する。また、フォーカス誤差信号生成回路も同様に、前述の受光素子（不図示）の電気信号に基づいて、光学ヘッド１のフォーカス制御機構をサーボ制御するためフォーカス誤差信号を生成する。
【００２７】
光学ヘッドサーボ回路３は、フロントエンド処理部２にて生成された各種誤差信号（トラッキング誤差信号やフォーカス誤差信号等）に基づいて、光学ヘッド１に組み込まれたサーボ機構（トラッキングサーボ機構やフォーカスサーボ機構等）を駆動するためのサーボ制御信号を生成する。そして、そのサーボ制御信号に基づいてサーボ機構の駆動をサーボ制御する。
【００２８】
ＷＢＬ検出部４は、ＢＰＦ（Ｂａｎｄ  Ｐａｓｓ  Ｆｉｌｔｅｒ）回路やコンパレータ等によって構成される。この構成において、ＢＰＦ回路にフロントエンド処理部２にて生成されたＲＦ信号が入力されて、そのＲＦ信号からウォブリング周波数成分（中心周波数２２．０５ｋＨｚ）が抽出される。このウォブリング周波数成分と基準となる電圧とをコンパレータにて比較することで、２値化データとしてのＷＢＬ（Ｗｏｂｂｌｅ）信号（『ウォブリング情報』）をＡＴＩＰデコーダ５やモーター制御回路１７に送信する。
【００２９】
ＡＴＩＰデコーダ５は、ＷＢＬ検出部４から受信した１ＡＴＩＰ区間（後述）あたりのＷＢＬ信号に基づいて、ＡＴＩＰアドレスをデコードする。ここで、１ＡＴＩＰ区間あたりのＷＢＬ信号には、誤り検出のためのＣＲＣ（Ｃｙｃｌｉｃ  Ｒｅｄｕｎｄａｎｃｙ  Ｃｏｄｅ）データが含まれている（図２参照）。ＡＴＩＰデコーダ５は、１ＡＴＩＰ区間あたりのＷＢＬ信号からＡＴＩＰアドレスが正常にデコードしたか否かを判定するために、前述のＣＲＣデータに基づいてＣＲＣチェックを行う。
【００３０】
なお、ＡＴＩＰデコーダ５において、ＷＢＬ検出部４から１ＡＴＩＰ区間の先頭のＷＢＬ信号を受信するというイベントが、システム制御マイコン１２の一の割り込み要因（以下、第１の割り込み要因と称する。）として設定される。
【００３１】
このため、ＡＴＩＰデコーダ５は、図５のフローチャートに示すとおり、ＷＢＬ検出部４からＷＢＬ信号を受信すると（Ｓ５００）、適宜な信号線を介して、システム制御マイコン１２が第１の割り込み要因を識別するための割り込み信号（以下、第１の割り込み信号と称する。）を、システム制御マイコン１２に送信する（Ｓ５０１）。そして、ＡＴＩＰデコーダ５は、前述したとおり、ＷＢＬ検出部４から受信したＷＢＬ信号に基づいてＡＴＩＰアドレスのデコードを行う（Ｓ５０２）。
【００３２】
ＰＳＮデコーダ６は、光ディスク２００が未記録状態である場合と、高密度記録用アドレスとしてのＰＳＮ（Ｐｈｙｓｉｃａｌ  Ｓｅｃｔｏｒ  Ｎｕｍｂｅｒ）アドレスを用いて高密度記録された状態にある場合とでは処理内容が異なる。
まず、光ディスク２００が未記録状態である場合の処理を説明する。この場合、ＰＳＮデコーダ６は、ＡＴＩＰデコーダ５にてデコードしたＡＴＩＰアドレスを受信すると、この受信したＡＴＩＰアドレスに基づいて、高密度記録用アドレスとしてのＰＳＮアドレスをデコードする。
【００３３】
つぎに、光ディスク２００が、高密度記録用アドレスとしてのＰＳＮアドレスを用いて、高密度記録された状態にある場合の処理を説明する。この場合、ＰＳＮアドレスにて論理的に区分した記録領域（区分領域）では、ＰＳＮアドレスに対応づけられたＩＤ（Ｉｄｅｎｔｉｆｉｃａｔｉｏｎ  Ｄａｔａ）情報（『識別情報』）が実データと併せて記録される（図３参照）。このＩＤ情報は、光ディスク装置１００が、前述の区分領域を識別するための情報となる。また、前述の区分領域には、ＩＤ情報を含めたデータのビット誤り等を検査するためのパリティビットも併せて記録される（図３参照）。なお、前述の区分領域には、ＰＳＮアドレス自体を記録してもよい。
【００３４】
すなわち、ＰＳＮデコーダ６は、フロントエンド処理部２において生成されたＲＦ信号に含まれるＩＤ情報を受信し、この受信したＩＤ情報に基づいてＰＳＮアドレスをデコードする。また、そのデコードの際には、ＩＤ情報と併せて前述のパリティビットも受信し、この受信したパリティビットに基づいてＩＤ情報のパリティチェックを行う。
なお、ＰＳＮデコーダ６において、フロントエンド処理部２から８ＡＴＩＰ区間の先頭のＩＤ情報を受信するというイベントが、システム制御マイコン１２の一の割り込み要因（以下、第２の割り込み要因と称する。）として設定されている。
このため、ＰＳＮデコーダ６は、図６のフローチャートに示すように、フロントエンド処理部２からＩＤ情報を受信すると（Ｓ６００）、適宜な信号線を介して、システム制御マイコン１２が第２の割り込み要因を識別するための割り込み信号（以下、第２の割り込み信号と称する。）を、システム制御マイコン１２に送信する（Ｓ６０１）。そして、ＰＳＮデコーダ６は、前述したとおり、フロントエンド処理部２から受信したＩＤ情報に基づいてＰＳＮアドレスのデコードを行う（Ｓ６０２）。
【００３５】
ＰＬＬ回路７は、位相比較器、チャージポンプ、ＬＰＦ、ＶＣＯ、分周回路などを備える（いずれも不図示）。この構成において、ＰＬＬ回路７は、ＷＢＬ検出部４から受信したＷＢＬ信号に基づいて、光ディスク２００の規格に応じたデコード処理にて用いられるタイミング信号としてのクロック信号を生成する。
【００３６】
高密度記録モード用デコーダ８は、前述の高密度記録モード時において、光ディスク２００への再生処理に採用する論理フォーマットに応じたデコード処理を行う。なお、本発明では、ＤＶＤ規格にて規定された論理フォーマットに応じたデコード処理を採用する。ＤＶＤ規格では、変調コードとしてＥＦＭ−ｐｌｕｓを、また誤り訂正符号としてＲＳ（Ｒｅｅｄ  Ｓｏｌｏｍｏｎ）Ｐｒｏｄｕｃｔ−Ｃｏｄｅを採用している。そこで、高密度記録モード用デコーダ８は、ＰＬＬ回路７にて生成されたクロック信号及びフロントエンド処理部２にて生成されたＲＦ信号（ＲＦ信号の入力ラインは不図示）に基づいて、これらの変調コード及び誤り訂正符号に基づいたデコード処理を行うものとする。
【００３７】
高密度記録モード用エンコーダ９は、パソコン等の情報処理装置（不図示）からインタフェース部１４を介して入力される記録データに関して、高密度記録モードにおいて採用する論理フォーマットに応じたエンコード処理を行う。なお、本発明では、高密度記録モード用デコーダ８との関連により、ＤＶＤ規格にて規定された論理フォーマットに応じたエンコード処理を採用する。このエンコード処理としては、記録・再生時の誤り訂正単位であるＥＣＣブロックを構成するための処理や、ＥＦＭ−ｐｌｕｓ変調処理、スクランブル処理などが該当し、これらの処理が施された後の記録用変調信号をレーザー出力制御回路１３に送信する。
インタフェース部１０は、光ディスク装置１００とパソコン等の情報処理装置（不図示）などとの間における記録・再生データの送受信を制御する。
【００３８】
ＲＡＭ１１は、当該情報処理装置（不図示）からインタフェース部１０を介して再生要求を受信した場合に、高密度記録モード用デコーダ８においてデコード処理中の中間データやデコード処理後の再生データを一時記憶する。この一時記憶された再生データは、インタフェース部１０を介して当該情報処理装置（不図示）に送信される。
また、ＲＡＭ１１は、当該情報処理装置（不図示）からインタフェース部１０を介して記録要求の対象となる記録データが入力された場合に、その記録データを一時記憶する。この一時記憶された記録データは、高密度記録モード用エンコーダ９におけるエンコード処理の際にアクセスされることになる。
【００３９】
システム制御マイコン１２は、光ディスク２００の記録及び再生に係る光ディスク装置１００全般のシステム制御を司る。なお、システム制御マイコン１２は、前述したとおり、第１の割り込み要因及び第２の割り込み要因を設定している。この設定は、例えば、割り込み要求レジスタＩＲＲ（Ｉｎｔｅｒｒｕｐｔ  Ｒｅｑｕｅｓｔ  Ｒｅｇｉｓｔｅｒ）の当該ビットを用いて行われる。具体的には、システム制御マイコン１２は、第１の割り込み信号を受信した場合、割り込み要求レジスタＩＲＲの第１の割り込み要因に設定された当該ビットをオンとし、第２の割り込み信号を受信した場合、割り込み要求レジスタＩＲＲの第２の割り込み要因に設定された当該ビットをオンとする。なお、前述の「当該ビットをオンする」とは、当該ビットの初期状態として予め設定されてある論理（”０”ｏｒ”１”）を反転することである。
【００４０】
ここで、本発明において、システム制御マイコン１２は、第１の割り込み要因及び第２の割り込み要因に関する割り込み処理のために、特に、割り込み制御部１２ａ、アドレス取得部１２ｂ、アクセス制御部１２ｃを有している。
割り込み制御部１２ａは、割り込み要求レジスタＩＲＲに対して、第１の割り込み要因及び第２の割り込み要因に設定された当該ビットの状態変化のタイミングを監視することで、第１の割り込み要因及び第２の割り込み要因に関するイベントのうち、どちらかが先に発生したか否かを識別する。また、割り込み制御部１２ａは、前述した識別内容を示す制御信号をアドレス取得部１２ｂに対して送信する。
【００４１】
アドレス取得部１２ｂは、割り込み制御部１２ａから受信した制御信号に基づいて、予め設定されている割り込み処理を実行する。例えば、割り込み制御部１２ａから受信した制御信号が、第１の割り込み要因に関するイベントが先に発生したことを示す場合、ＡＴＩＰデコーダ５にてデコードしたＡＴＩＰアドレスを取得するための割り込み処理を行う。また、割り込み制御部１２ａから受信した制御信号が、第２の割り込み要因に関するイベントが先に発生したことを示す場合、ＰＳＮデコーダ６にてデコードしたＰＳＮアドレスを取得するための割り込み処理を行う。
なお、以上に説明した割り込み制御部１２ａ及びアドレス取得部１２ｂは、一の割り込みコントローラ（不図示）に集約して、システム制御マイコン１２の外部に備えるようにしても良い。
【００４２】
アクセス制御部１２ｃは、アドレス取得部１２ｂにて取得したＡＴＩＰアドレス又はＰＳＮアドレスの一方を用いて、光ディスク２００の記録・再生対象トラックへのアクセスを制御する。
具体的には、光ディスク装置１００は、シーク動作などといった通常のアクセス制御において、レーザービームＢが照射されている現在位置のトラックから読み出されたＷＢＬ信号又はＩＤ情報をもとに、ＡＴＩＰアドレス又はＰＳＮアドレスをデコードする。そして、このデコードしたＡＴＩＰアドレス又はＰＳＮアドレスに基づいて、目的とする記録・再生対象のトラック位置を示すＡＴＩＰアドレス又はＰＳＮアドレスへの更新を行う。この更新されたＡＴＩＰアドレス又はＰＳＮアドレスは、光学ヘッドサーボ回路３において、光学ヘッド１が備えるスライド機構を記録・再生対象のトラックに移動させるための制御に用いられる。
【００４３】
レーザー出力制御回路１３は、高密度記録モード用エンコーダ１３から受信した記録用変調信号に基づいて、レーザー素子１ａをレーザー発光駆動するためのパルス信号を生成する。このパルス信号は、レーザー駆動回路１４に送信される。なお、レーザー出力制御回路１３は、システム制御マイコン１２による制御下で、光ディスク２００の記録層の特性やレーザービームＢのスポット形状などを判別して、レーザー素子１ａから出射されるレーザービームＢの最適出力レベルを設定するための処理も行う。
【００４４】
レーザー駆動回路１４は、レーザー出力制御回路１３から受信したパルス信号に基づいて、レーザー素子１ａを記録時においてレーザー発光駆動する。これによって、レーザー素子１ａからレーザービームＢが出射され、高密度記録モード用エンコーダ９出力の記録用変調信号に応じたピットが、光ディスクのトラックに形成される。また、再生時では、フロントエンド処理部２の内部又は外部に備える不図示のＡＰＣ（Ａｕｔｏｍａｔｉｃ  Ｐｏｗｅｒ  Ｃｏｎｔｒｏｌ）回路の制御下で、レーザー素子１ａをレーザー発光駆動する。なお、光学ヘッド１には、レーザー素子１ａから出射されるレーザービームＢのパワーを検出するための検出器（不図示）が備わっており、ＡＰＣ回路は、この検出器にて検出されたレーザービームＢのパワーを監視しつつ、レーザー素子１ａから出射されるレーザービームＢのパワーが一定となるための制御を行う。
【００４５】
スピンドルモーター１５は、光ディスク２００を回転駆動するモーターであり、モーター駆動回路１６は、スピンドルモーター１５を回転駆動するための回路である。モーター制御回路１７は、ＷＢＬ検出部４から受信したＷＢＬ信号に基づくウォブリング周波数の情報を用いて、ＣＤ規格による線速度一定方式にてスピンドルモーター１５の回転駆動制御を行うための回路である。あるいは、スピンドルモーター１５の回転に応じて発生するパルス信号を用いて、角速度一定方式にてスピンドルモーター１５の回転駆動制御を行ってもよい。
以上が、本発明に係る光ディスク装置１００の構成要素である。
【００４６】
ところで、前述した実施例では、ＡＴＩＰデコーダ５におけるＷＢＬ信号の受信及びＰＳＮデコーダ６におけるＩＤ情報の受信というイベントが発生したか否かの判定を、割り込み方式にて実現しているが、ポーリング方式にて実現してもよい。なお、割り込み方式は、ポーリング方式と比較すると、システム制御マイコン１２が、前述したイベントが発生したか否かを常時監視する必要がないため、システム制御マイコン１２を含めた光ディスク装置１００の処理負荷を低減することができる。
また、第１の割り込み信号及び第２の割り込み信号は、前述したイベントの発生とほぼ同タイミングにてシステム制御マイコン１２に送達される。このため、本発明に係る光ディスク装置１００は、前述したイベントの発生を遅滞なく識別することができる。
また、前述した割り込み方式は、光ディスク装置１００の既存の構成にあまり影響を与えることなく実現することが可能である。
【００４７】
＜高密度記録モードのデータ構造＞
光ディスク装置１００が、ＣＤ−ＲやＣＤ−ＲＷなどのＣＤ規格媒体である光ディスク２００に対して、記録・再生処理に採用する論理フォーマットとしての高密度記録モードについて詳細に説明する。
【００４８】
まず、図２を用いて、標準記録モードにおけるデータ構造を説明する。
同図に示すように、ＣＤ規格媒体に対して記録されるデータの最小単位は、ＣＤ規格のＥＦＭ（Ｅｉｇｈｔ  ｔｏ  Ｆｏｕｒｔｅｅｎ  Ｍｏｄｕｌａｔｉｏｎ）変調方式に基づいた１ＥＦＭフレームとなる。そして、９８ＥＦＭフレームにて５８８ビットの１フレームが構成される。また、この１フレームによって、”Ｐ，Ｑ，Ｒ，…，Ｗ”からなるサブコードデータ（トラック番号、インデックス情報、絶対・相対アドレス等を含む）が生成される。
【００４９】
また、ＣＤ規格媒体の内周部のトラックから外周部のトラックに向かって、トラックのウォブリング情報に対応づけられた絶対アドレスが付与されている。この絶対アドレスは、絶対時間情報としてのＡＴＩＰアドレスに該当する。ＡＴＩＰアドレスは、通常、２４ビットのデータで構成され、上位８ビットは「分（ｍｉｎｕｔｅ）」を示し、続く８ビットは「秒（ｓｅｃｏｎｄ）」を示し、下位８ビットは「フレーム」を示す。なお、「分」、「秒」、「フレーム」の各データは、２進化１０進数（ＢＣＤ；Ｂｉｎａｒｙ  Ｃｏｄｅｄ  Ｄｅｃｉｍａｌ）にて表現される。
【００５０】
また、１秒間あたりのフレーム数は”７５”（００フレーム〜７４フレーム）である。ここで、”１／７５”秒間に相当するＡＴＩＰアドレスによって設定される記録領域（以下、１ＡＴＩＰ区間と称する。）は、光ディスク装置１００において記録・再生単位として扱う１セクタとなる。この１セクタ分の記録領域（『第１の記録領域』）は、通常２ｋバイトで構成され、前述したようにシンクパターン、識別子、ウォブリング情報、ＣＲＣデータなどが記録される。
【００５１】
一方、図３は、高密度記録モードの場合のデータ構造である。この高密度記録モードでは、例えば、標準記録モードに対して２．０倍の記録密度を実現する。この場合、１ＡＴＩＰ区間では、２セクタ分、すなわち４ｋバイトのデータが記録される。なお、この場合の１セクタ分の記録領域（『第２の記録領域』）には、ＰＳＮアドレスに対応づけられるＩＤ情報や、記録する実データ、ＩＤ情報及び実データを検査するためのパリティビット等が記録される。
【００５２】
また、前述したとおり、高密度記録モードでは、ＤＶＤ規格に準拠した変調・復調方式を採用しているため、光ディスク装置１００において記録・再生単位は１ＥＣＣ（Ｅｒｒｏｒ  Ｃｏｒｒｅｃｔｉｏｎ  Ｃｏｄｅ）ブロックとなる。なお、この１ＥＣＣブロック分のデータは、８ＡＴＩＰ区間に相当する記録領域に記録されるものとする。すなわち、１ＥＣＣブロックには、１６セクタ分（３２ｋバイト）のデータが記録されることになる。
【００５３】
＜ＡＴＩＰアドレスとＰＳＮアドレスの関係＞
＝＝＝物理フォーマット＝＝＝
高密度記録モードにて採用する光ディスク２００の物理フォーマットについて説明する。
光ディスク２００の物理フォーマットは、例えば、図４上段部に示すような構成となる。同図に示すように、光ディスク２００の内周側から外周側に対して、フォーマットエリア、ＰＣＡ（Ｐｏｗｅｒ  Ｃａｌｉｂｒａｔｉｏｎ  Ａｒｅａ）、ＰＭＡ（Ｐｒｏｇｒａｍ  Ｍｅｍｏｒｙ  Ａｒｅａ）、ＴＯＣ（Ｔａｂｌｅ  Ｏｆ  Ｃｏｎｔｅｎｔｓ）エリア、プログラムエリア及びリードアウトエリアが設けられている。
【００５４】
フォーマットエリアは、高密度記録モードにおいて光ディスク２００のフォーマット処理が実行された場合に、所定のデータ（例えば、オール”０”）が記録される。ＰＣＡは、レーザー素子１ａの記録パワーの設定制御として試し書きを行うためのテストエリアと、試し書きされたテストエリア内のアドレスや試し書き回数を記憶するためのカウンタエリアが設けられる。
ＰＭＡは、トラックへの記録毎に、記録モードの情報や、記録開始及び終了時間情報などを一時的に記録するための領域として使用される。また、予定された全てのトラックが記録された後、ＰＭＡに記録された情報に基づいて生成されたＴＯＣ情報が、ＴＯＣエリアに記録される。
プログラムエリアは、ユーザー使用可能領域として、実データの記録及び再生のための領域である。リードアウトエリアは、光ディスク２００の記録及び再生の終了位置を識別するための領域である。
以上の構成により、高密度記録モードにて採用する物理フォーマットは、既存のＣＤ規格に準拠した物理フォーマットと比較すると、プリギャップエリアなどが省略されており、高密度な記録が可能となる。
【００５５】
＝＝＝  ＡＴＩＰアドレス  ＝＝＝
ＡＴＩＰアドレスについて詳細に説明する。
図４中段部は、光ディスク装置１００が、光ディスク２００のプリグルーブの物理的なウォブリング情報をデコードして得られるＡＴＩＰアドレスの設定情報を示している。このＡＴＩＰアドレスは、光ディスク２００のトラックに付与された物理アドレスとしての一面と、光ディスク装置１００が光ディスク２００への記録又は再生の制御するために用いる論理アドレスとしての一面がある。
【００５６】
プログラムエリアの最内周側に相当するＡＴＩＰアドレス（以下、第１の基準ＡＴＩＰアドレスと称する。）は、”００（分）：００（秒）：００（フレーム）”である。そして、このプログラムエリアの最内周側から外周側に向かっての記録領域（以下、外周側記録領域と称する。）では、”１秒間＝７５フレーム”の換算にて、第１の基準ＡＴＩＰアドレスを１フレーム単位で単純増加していったＡＴＩＰアドレスが付与される。なお、本発明では、外周側記録領域におけるＡＴＩＰアドレスの最大値を”８９（分）：５９（秒）：７４（フレーム）”としている。
【００５７】
一方、第１の基準ＡＴＩＰアドレスより内周側の記録領域（以下、内周側記録領域と称する。）は、ＰＣＡやＰＭＡなどのユーザーが使用不可能な予約領域である。この内周側記録領域にもＡＴＩＰアドレスが付与されている。本発明では、例えば、内周側記録領域におけるＡＴＩＰアドレスの最小値（以下、第２の基準ＡＴＩＰアドレスと称する。）を、”９０（分）：００（秒）：００（フレーム）”としている。そして、内周側記録領域では、外周側記録領域と同様に、”１秒間＝７５フレーム”の換算にて、第２の基準ＡＴＩＰアドレスを１フレーム単位で単純増加していったＡＴＩＰアドレスが付与される。
【００５８】
＝＝＝  ＰＳＮアドレス  ＝＝＝
ＰＳＮアドレスについて詳細に説明する。
図４下段部は、光ディスク装置１００が、光ディスク２００への記録又は再生を高密度記録モードにて行う場合に、論理アドレスとして用いるＰＳＮアドレスの設定情報を示している。
ここで、ＰＳＮアドレスとは、当該ＡＴＩＰアドレスとしての絶対アドレスを”ｘ”とする場合に、”ｙ＝ｎ×（ｘ−ｍ）＋ｍ”によって算出される高密度記録用アドレス（ｙ）を示す。ここで、”ｎ”は記録密度についての倍率（標準記録モードの倍率を１とする）であり、２．０倍の記録密度であれば”ｎ＝２．０”である。また、”ｍ”は基準アドレスである。
【００５９】
すなわち、ＰＳＮアドレスは、絶対アドレス”ｘ”に基づいた単位時間（”１／７５”秒間）に相当する記録領域（１ＡＴＩＰ区間）を、記録密度の倍率（ｎ）によって区分するという高密度記録モードの論理フォーマットに従って、１ＡＴＩＰ区間の論理的な区分領域（『第２の記録領域』）に付与されることになる。このＰＳＮアドレスを用いた高密度記録によって、１ＡＴＩＰ区間にはｎ倍のデータが記録され、その結果、光ディスク２００の記録密度はｎ倍となる。
【００６０】
なお、本発明では、記録密度の倍率（ｎ）を”２”とし、プログラムエリアの最内周側のＰＳＮアドレス（ｍ）を”３００００Ｈ（Ｈｅｘａｄｅｃｉｍａｌ  ：１６進）”とする。この場合、外周側記録領域のＡＴＩＰアドレスに対応づけられるＰＳＮアドレス（ｙ）は、”ｙ＝２×（ｘ（１６進）−３００００Ｈ）＋３００００Ｈ”として算出される。例えば、”００（分）：００（秒）：０１（フレーム）”のＡＴＩＰアドレスに対応するＰＳＮアドレスは、”３０００２Ｈ＝２×（３０００１Ｈ−３００００Ｈ）＋３００００Ｈ”である。
【００６１】
このように、ＡＴＩＰアドレスとＰＳＮアドレスは、相互に対応づけられている。このことは、光ディスク装置１００が、高密度記録モードによる光ディスク２００への記録又は再生において、ＰＳＮアドレスだけでなく、ＡＴＩＰアドレスを用いることが可能であることを意味する。そこで、本発明に係る光ディスク装置２００は、ＡＴＩＰアドレスの有効利用を図るために、ＰＳＮアドレス及びＡＴＩＰアドレスのいずれか一方を用いて、光ディスク２００をアクセスする仕組みを備えている。
【００６２】
＜システム制御マイコンの動作＞
以下では、本発明において特徴的な処理を担当するシステム制御マイコン１２の動作について説明する。なお、以下の説明では、光ディスク２００はＰＳＮアドレスを用いて高密度記録されており、光ディスク２００の当該セクタにはＰＳＮアドレスに対応づけられたＩＤ情報が実データと併せて記録されているものとする。
【００６３】
図７は、システム制御マイコン１２が、ＡＴＩＰデコーダ５及びＰＳＮデコーダ６からの割り込み要求に応じて、高密度記録モードによる光ディスク２００への記録又は再生の制御を行う動作を説明するフローチャートである。
なお、以下に説明する動作は、特に断らない限り、システム制御マイコン１２、特に、割り込み制御部１２ａ、アドレス取得部１２ｂ、アクセス制御部１２ｃにて実行されるものとする。
【００６４】
まず、割り込み制御部１２ａは、割り込み要求レジスタＩＲＲに対して、第１の割り込み要因及び第２の割り込み要因に設定された当該ビットの状態変化を常時又は適宜なタイミングにて監視しているものとする。ここで、第１の割り込み要因又は第２の割り込み要因に設定された当該ビットがオンとなった場合、すなわち、前述の当該ビットの初期状態として予め設定されてある論理（”０”ｏｒ”１”）が反転した場合、割り込み制御部１２ａは割り込み要因の解析を行う（Ｓ７００）。
【００６５】
Ｓ７００での解析の結果、第１の割り込み要因に関するイベントが発生したことを識別した場合（Ｓ７０１）、割り込み制御部１２ａは、その識別内容を示す制御信号をアドレス取得部１２ｂに送信する。なお、この場合、割り込み制御部１２ａは、第２の割り込み要因に設定されたビットをマスクすることで、後に受信する第２の割り込み信号を無効にしてもよい。また、この場合、システム制御マイコン１２は、ＰＳＮデコード処理負荷を低減するために、ＰＳＮデコーダ６におけるデコード処理を当該８ＡＴＩＰ区間（１ＥＣＣブロック）停止する制御を行ってもよい。
【００６６】
つぎに、アドレス取得部１２ｂは、第１の割り込み要因に関する割り込み処理として、ＡＴＩＰデコーダ５にてデコードしたＡＴＩＰアドレスを取得する（Ｓ７０２）。そして、アクセス制御部１２ｃが、Ｓ７０２にて取得したＡＴＩＰアドレスを用いて、光ディスク２００の記録・再生対象トラックへのアクセスを制御する（Ｓ７０３）。
【００６７】
一方、Ｓ７００での解析の結果、第２の割り込み要因に関するイベントが発生したことを識別した場合（Ｓ７０４）、割り込み制御部１２ａは、その識別内容を示す制御信号をアドレス取得部１２ｂに送信する。なお、この場合、割り込み制御部１２ａは、第１の割り込み要因に設定されたビットをマスクすることで、後に受信する第１の割り込み信号を無効にしてもよい。また、この場合、システム制御マイコン１２は、ＡＴＩＰデコード処理負荷を低減するために、ＡＴＩＰデコーダ５におけるデコード処理を当該８ＡＴＩＰ区間（１ＥＣＣブロック）停止する制御を行ってもよい。
【００６８】
つぎに、アドレス取得部１２ｂは、第２の割り込み要因に関する割り込み処理として、ＰＳＮデコーダ６にてデコードしたＰＳＮアドレスを取得する（Ｓ７０５）。そして、アクセス制御部１２ｃが、Ｓ７０５にて取得したＰＳＮアドレスを用いて、光ディスク２００の記録・再生対象トラックへのアクセスを制御する（Ｓ７０６）。
【００６９】
このように、システム制御マイコン１２が、前述したような処理（Ｓ７０１〜Ｓ７０６）を行うことによって、光ディスク装置１００としてのアクセスタイムの短縮化、すなわち高速アクセス化を実現することができる。このことを、図８及び図９に示すタイミングチャートを用いて説明する。
【００７０】
図８は、ＡＴＩＰデコーダ５及びＰＳＮデコーダ６の主要信号のタイミングチャートである。なお、図８では、第１の割り込み要因に関するイベントが、第２の割り込み要因に関するイベントよりも先に発生した場合を想定している。
【００７１】
まず、時刻ｔ０にて、ＡＴＩＰデコーダ５が、当該１ＡＴＩＰ区間Ｔ０についてのＷＢＬ信号を受信する（図８（ａ）参照）。この場合、ＡＴＩＰデコーダ５は、一方のレベル（Ｈレベル）にアサートした第１の割り込み信号をシステム制御マイコン１２に送信する（図８（ｂ）参照）。また、ＡＴＩＰデコーダ５は、時刻ｔ２にて、受信したＷＢＬ信号をもとに、ＡＴＩＰアドレスのデコード処理を開始する（図８（ｃ）参照）。
【００７２】
一方、時刻ｔ１にて、ＰＳＮデコーダ６が、前述の１ＡＴＩＰ区間Ｔ０についてのＩＤ情報を受信する（図８（ｄ）参照）。この場合、ＰＳＮデコーダ６は、一方のレベル（Ｈレベル）にアサートした第２の割り込み信号をシステム制御マイコン１２に送信する（図８（ｅ）参照）。また、ＰＳＮデコーダ６は、時刻ｔ３にて、受信したＩＤ情報をもとに、ＰＳＮアドレスのデコード処理を開始する（図８（ｆ）参照）。
【００７３】
以上のような状況下で、システム制御マイコン１２は、時刻ｔ０にて送信された第１の割り込み信号を、時刻ｔ１にて送信された第２の割り込み信号よりも先に受信する。このため、システム制御マイコン１２は、第１の割り込み要因を優先し、ＡＴＩＰデコーダ５にてデコードしたＡＴＩＰアドレスを取得して、光ディスク２００へのアクセスに使用することになる。
【００７４】
ところで、システム制御マイコン１２が、前述したＡＴＩＰアドレスとＰＳＮアドレスのいずれか一方を優先して使用するための仕組みを備えておらず、また、図８に示す状況下でＰＳＮアドレスによるアクセスに設定されている状況を想定すると、ＰＳＮアドレスよりも先にデコードしたＡＴＩＰアドレスの有効利用が図れないことになる。
また、この場合、システム制御マイコン１２は、ＰＳＮアドレスよりも先にデコードしたＡＴＩＰアドレスの有無に関わらず、ＰＳＮデコーダ６におけるＰＳＮアドレスのデコード処理を待つことになり、その待ち時間の分、アクセスタイムが長くなる。
このことにより、本発明に係るシステム制御マイコン１２は、ＡＴＩＰアドレスの有効利用を図りつつも、高速アクセス化を可能としている。
【００７５】
図９は、図８とは反対に、第２の割り込み要因に関するイベントが、第１の割り込み要因に関するイベントよりも先に発生した場合を想定したものである。    図９に示す状況下において、システム制御マイコン１２は、時刻ｔ０にて送信された第２の割り込み信号を、時刻ｔ１にて送信された第１の割り込み信号よりも先に受信する。そして、システム制御マイコン１２は、第２の割り込み要因を優先し、ＰＳＮデコーダ６にてデコードしたＰＳＮアドレスを取得して、光ディスク２００へのアクセスに使用することになる。
【００７６】
ところで、システム制御マイコン１２が、前述したＡＴＩＰアドレスとＰＳＮアドレスのいずれか一方を優先して使用するための仕組みを備えておらず、また、図９に示す状況下でＡＴＩＰアドレスによるアクセスに設定されている状況を想定すると、ＡＴＩＰアドレスよりも先にデコードしたＰＳＮアドレスの有効利用が図れないことになる。
また、この場合、システム制御マイコン１２は、ＡＴＩＰアドレスよりも先にデコードしたＰＳＮアドレスの有無に関わらず、ＡＴＩＰデコーダ５におけるＡＴＩＰアドレスのデコード処理を待つことになり、その待ち時間の分、アクセスタイムが長くなる。
このことにより、本発明に係るシステム制御マイコン１２は、ＡＴＩＰアドレスの有効利用を図りつつも、高速アクセス化を可能としている。
【００７７】
以上、本発明の実施形態について、その実施形態に基づき具体的に説明したが、これに限定されるものではなく、その要旨を逸脱しない範囲で種々変更可能である。
【００７８】
【発明の効果】
本発明によれば、高速アクセス化を実現する光ディスク装置を提供することができる。
【図面の簡単な説明】
【図１】本発明の一実施形態に係る光ディスク装置を含めたシステムの概略構成図である。
【図２】標準記録モード時における論理フォーマットを説明する図である。
【図３】高密度記録モード時における論理フォーマットを説明する図である。
【図４】光ディスクの物理フォーマットと、ＡＴＩＰアドレス及びＰＳＮアドレスの関係を説明する図である。
【図５】本発明の一実施形態に係るＡＴＩＰデコーダの処理フローを説明するためのフローチャートである。
【図６】本発明の一実施形態に係るＰＳＮデコーダの処理フローを説明するためのフローチャートである。
【図７】本発明の一実施形態に係るシステム制御マイコンの処理フローを説明するためのフローチャートである。
【図８】本発明の一実施形態に係るＡＴＩＰデコーダ及びＰＳＮデコーダの主要信号のタイミングチャートである。
【図９】本発明の一実施形態に係るＡＴＩＰデコーダ及びＰＳＮデコーダの主要信号のタイミングチャートである。
【符号の説明】
１    光学ヘッド                    １ａ  レーザー素子
２    フロントエンド処理部          ３    光学ヘッドサーボ回路
４    ＷＢＬ検出部                  ５    ＡＴＩＰデコーダ
６    ＰＳＮデコーダ                ７    ＰＬＬ
８    高密度記録モード用デコーダ    ９    高密度記録モード用エンコーダ
１０  インタフェース部              １１  ＲＡＭ
１２  システム制御マイコン          １２ａ  割り込み制御部
１２ｂ  アドレス取得部              １２ｃ  アクセス制御部
１３  レーザー出力制御部            １４  レーザー駆動回路
１５  スピンドルモーター            １６  モーター駆動回路
１７  モーター制御回路
【図１】
2004259372.tif 000003
【図２】
2004259372.tif 000004
【図３】
2004259372.tif 000005
【図４】
2004259372.tif 000006
【図５】
2004259372.tif 000007
【図６】
2004259372.tif 000008
【図７】
2004259372.tif 000009
【図８】
2004259372.tif 000010
【図９】
2004259372.tif 000011